(57)【特許請求の範囲】
【請求項１】
原稿をコンタクトガラス上に自動的に給紙する自動原稿給紙手段と、コンタクトガラス上の原稿画像のコピー画像を転写紙上に形成する画像形成手段と、当該画像形成手段により画像形成された転写紙を複数のビンに仕分けるソート手段と、少なくとも設定された画像形成条件で原稿画像を１回形成し、所定の排出先に排出する試しコピーモードとを有する画像形成装置において、
複数部コピーを作成する場合、前記自動原稿給紙手段に積載された原稿枚数と設定モードに基づいて１部当たりの転写紙が２枚以上になるか否かを判断し、この判断結果に基づいて２枚以上になるときには前記ソート手段の動作モードをソートモードに切り換えて画像形成を実行させるオートソートモードへの切り換え手段と、
前記オートソートモードへの切り換えの可否を判定する判定処理を禁止する制御、及び前記判定処理を実行させる制御を行う機能を有し、前記いずれかの制御を選択して実行する制御手段と、
を備え、
前記制御手段は、前記試しコピーを行う場合、前記判定処理を禁止することを特徴とする画像形成装置。
【請求項２】
前記制御手段は、前記判定処理を禁止した後、通常コピーを行う場合には、前記判定処理を実行させることを特徴とする請求項１記載の画像形成装置。
【請求項３】
原稿をコンタクトガラス上に自動的に給紙する自動原稿給紙手段と、コンタクトガラス上の原稿画像のコピー画像を転写紙上に形成する画像形成手段と、当該画像形成手段により画像形成された転写紙を複数のビンに仕分けるソート手段と、少なくとも設定された画像形成条件で原稿画像を１回形成し、所定の排出先に排出する試しコピーモードとを有する画像形成装置において、
複数部コピーを作成する場合、前記自動原稿給紙手段に積載された原稿枚数と設定モードに基づいて１部当たりの転写紙が２枚以上になるか否かを判断し、この判断結果に基づいて２枚以上になるときには前記ソート手段の動作モードをソートモードに切り換えて画像形成を実行させるオートソートモードへの切り換え手段と、
前記オートソートモードへの切り換えの可否を判定する判定処理を禁止する制御、及び前記判定処理を実行させる制御を行う機能を有し、前記いずれかの制御を選択して実行する制御手段と、
を備え、
前記制御手段は、ソートモードが選択されていない状態で試しコピーを行う場合、前記判定処理を実行させ、次いで通常コピーを行う場合、指定コピー部数が変更されたとき、または原稿に対する転写紙の部数が変化するモードが選択されたときには前記判定処理を再度実行させることを特徴とする画像形成装置。
【発明の詳細な説明】
【０００１】
【発明の属する技術分野】
本発明は、通常のコピーに先立ってコピー条件やその仕上がり状態を目視で確認するために試しコピー機能を有する画像形成装置に関する。
【０００２】
【従来の技術】
試しコピー機能は、複数のコピーを行う前に記録紙上の作像状態を目視で確認するために１枚だけコピーを行う機能である。このような機能によれば、複数のコピー枚数がセットされている場合であってもいきなり連続コピーを行わず、試験的に１枚のみをコピーして所定のトレイに排出するので、ユーザが画像のコピー具合を目視で確認することができ、また、ＯＫの場合には複数のセット枚数のコピーを行うので失敗のないコピーを行うことができる。
【０００３】
従来の方法としては例えば
（１）特開昭５８−１１６２号公報（特公平２−２１４３号公報）
（２）特開昭６３−１１６４１号公報
（３）特開昭６３−２５３９６９号公報
に開示された発明が知られている。
【０００４】
上記（１）ではプリントキーと試しキーを有し、試しコピー時には１枚のコピー後の所定時間経過後に連続コピーが開始される。また、コピーセット枚数が「１」の場合には試しコピーは行われず、更にＡＤＦ（原稿自動給紙装置）により複数の原稿を給紙する場合には最初の原稿のみについて試しコピーを行う。上記（２）では１枚のコピーで中断して続行キーで続行する方法が提案されている。また、上記（３）ではプリントキーのみの押下では１枚コピーを行い、プリントキーとマルチコピー確認キーの両方の押下で連続コピーを行う方法が提案されている。
【０００５】
【発明が解決しようとする課題】
ところで、操作性を向上させるために自動原稿送り装置と後処理装置を備えた複写装置では、複数部コピーの際に自動原稿送り装置に積載されている原稿枚数と設定モードに基づいて１部当たりの排出転写紙の枚数が２枚以上の場合には、後処理装置を自動的にソートモードに切り換えてコピーを行う、いわゆるオートソートモードが知られている。また、このような装置も上記の試しコピー機能を有し、更に試しコピー機能のバリエーションとして片面原稿画像を転写紙の片面にコピーする「片面→片面モード」により試しコピーを行った後に、画像確認後「片面→両面モード」に切り換えてジョブを実行するものも知られている。
【０００６】
しかしながら、このような装置では、試しコピー後の通常コピー時にオートソートモードを実行すると、ユーザが「片面→片面モード」により試しコピーを行った後に、画像確認後「片面→両面モード」に切り換えて通常コピーを行う場合に上記のオートソートモードの条件を判定すると、新たに切り替わった「片面→両面モード」ではオートソートモードの条件に適合しなくなり、誤ったオートソート動作を行うという問題点がある。また、試しコピー後にコピー枚数が変更された場合にも誤ったオートソート動作を行うという問題点がある。
【０００７】
本発明は上記従来例の問題点に鑑み、試しコピーモードを備えた画像形成装置において、誤ったオートソート動作を防止することができるようにすることを目的とする。
【０００８】
【課題を解決するための手段】
第１の手段は上記目的を達成するために、原稿をコンタクトガラス上に自動的に給紙する自動原稿給紙手段と、コンタクトガラス上の原稿画像のコピー画像を転写紙上に形成する画像形成手段と、当該画像形成手段により画像形成された転写紙を複数のビンに仕分けるソート手段と、少なくとも設定された画像形成条件で原稿画像を１回形成し、所定の排出先に排出する試しコピーモードとを有する画像形成装置において、複数部コピーを作成する場合、前記自動原稿給紙手段に積載された原稿枚数と設定モードに基づいて１部当たりの転写紙が２枚以上になるか否かを判断し、この判断結果に基づいて２枚以上になるときには前記ソート手段の動作モードをソートモードに切り換えて画像形成を実行させるオートソートモードへの切り換え手段と、前記オートソートモードへの切り換えの可否を判定する判定処理を禁止する制御、及び前記判定処理を実行させる制御を行う機能を有し、前記いずれかの制御を選択して実行する制御手段とを備え、前記制御手段は、前記試しコピーを行う場合、前記判定処理を禁止することを特徴とする。
【０００９】
第２の手段は、第１の手段において、前記制御手段は、前記判定処理を禁止した後、通常コピーを行う場合には、前記判定処理を実行させることを特徴とする。
【００１０】
第３の手段は、原稿をコンタクトガラス上に自動的に給紙する自動原稿給紙手段と、コンタクトガラス上の原稿画像のコピー画像を転写紙上に形成する画像形成手段と、当該画像形成手段により画像形成された転写紙を複数のビンに仕分けるソート手段と、少なくとも設定された画像形成条件で原稿画像を１回形成し、所定の排出先に排出する試しコピーモードとを有する画像形成装置において、複数部コピーを作成する場合、前記自動原稿給紙手段に積載された原稿枚数と設定モードに基づいて１部当たりの転写紙が２枚以上になるか否かを判断し、この判断結果に基づいて２枚以上になるときには前記ソート手段の動作モードをソートモードに切り換えて画像形成を実行させるオートソートモードへの切り換え手段と、前記オートソートモードへの切り換えの可否を判定する判定処理を禁止する制御、及び前記判定処理を実行させる制御を行う機能を有し、前記いずれかの制御を選択して実行する制御手段とを有し、前記制御手段は、ソートモードが選択されていない状態で試しコピーを行う場合、前記判定処理を実行させ、次いで通常コピーを行う場合、指定コピー部数が変更されたとき、または原稿に対する転写紙の部数が変化するモードが選択されたときには前記判定処理を再度実行させることを特徴とする。
【００１２】
【発明の実施の形態】
以下、図面を参照して本発明の実施の形態を説明する。図１は本発明に係る画像形成装置の一実施形態を示す構成図、図２は図１の操作部を詳しく示す構成図、図３は図２のＣＲＴ画面を詳しく示す説明図、図４は図１の画像形成装置の操作制御部の構成を示すブロック図、図５は図１の画像形成装置の構成を示すブロック図、図６は図１の画像形成装置の通常コピー時と試しコピー時の処理を説明するためのフローチャート、図７は図６のオートソートチェック処理を詳しく説明するためのフローチャート、図８は図６の試しコピー処理を詳しく説明するためのフローチャートである。
【００１３】
図１に示す画像形成装置は、複写機本体Ａと、自動原稿給紙装置ＢとソータＣを有し、また、複写機本体Ａには図２に詳しく示すような操作部２００が設けられている。このような構成において、自動原稿給紙装置Ｂにより原稿が自動的に１枚毎に複写機本体Ａのコンタクトガラス１０１上に給紙されて読み取られて転写紙にコピーされ、この転写紙がソータＣのプルーフトレイ又は複数のソート用トレイの１つに選択的に排出される。詳しく説明すると、自動原稿給紙装置Ｂでは原稿載置台１に載置された原稿が原稿給紙ローラ２により取り込まれ、コンタクトガラス１０１上に給紙されて停止する。このとき、原稿載置台１上の原稿は原稿載置センサ３０１により検出される。コンタクトガラス１０１上の原稿は読み取りが終了すると、自動原稿給紙装置Ｂによりコンタクトガラス１０１から排出される。
【００１４】
複写機本体Ａではコンタクトガラス１０１上の原稿が光源１０２により光照射され、原稿の反射光が第１ミラー１０３、２つの第２ミラー１０４、スルーレンズ１０５、３つの第３ミラー１０６を含む光学系を介して感光体ドラム１０７の表面を露光する。感光体ドラム１０７の表面は露光前に予め帯電器１０８により一様に帯電されており、上記の露光により原稿画像の静電潜像が感光体ドラム１０７の表面に形成される。次いで感光体ドラム１０７の表面はイレーサ１０９により不要な電荷が除去され、次いで静電潜像が現像器１１０によりトナーで現像され、次いでこのトナー像が転写チャージャ１１１により転写紙に転写される。転写を終了した感光体ドラム１０７の表面は除電チャージャ１２５により除電された後、クリーニング装置１２６により残存トナーが除去されて次のコピーに備える。
【００１５】
転写紙は給紙トレイ１１２、１１３、１１４、両面トレイ１２４の１つから選択的に給紙され、次いで搬送路１１５に沿って搬送され、レジストローラ１１６により感光体ドラム１０７上のトナー像とタイミングを合わせて感光体ドラム１０７と転写チャージャ１１１の間に搬送されてトナー像が転写される。次いでこの転写紙は分離チャージャ１２０により感光体ドラム１０７から分離され、次いで搬送ベルト１１７により搬送され、次いで定着器１１８によりトナー像が定着される。
【００１６】
定着を終了した転写紙は、転写紙の両面にコピーする両面モードでは、表面コピーが終了すると両面切り替え爪１２１が両面トレイ１２４側に切り替わることにより、両面進入路１２３を介して両面トレイ１２４に送られて蓄積される。次いで裏面コピー時には、両面トレイ１２４上の転写紙が反転されて感光体ドラム１０７と転写チャージャ１１１の間に搬送されて上記の工程が再度行われる。両面モードにおける裏面コピー終了後と片面コピーモードには、両面切り替え爪１２１が排出側に切り替わることにより、定着を終了した転写紙がソータＣに排出される。また、裏面コピー時には転写紙は反転部１２２により反転された後にソータＣに排出される。
【００１７】
ソータＣに進入した転写紙は１枚づつ複数のビン３１２の１つに選択的にスタックされ、置数分の転写紙がビン３１２にスタックされると最初のビン３１２に戻り、これを繰り返すことにより置数分のコピーが完了する。ここで、ソータＣの後処理モードとしては、１枚の原稿からコピーされた転写紙を指定部数分同一のビン３１２へ排出するスタックモードと、１枚の原稿から置数分コピーされた転写紙を各ビン３１２に排出して仕分けるソートモードを有する。排出センサ３００は転写紙が通過中にオンになり、したがって、排出センサ３００がオンからオフになると転写紙がビン３１２に排出されたことを検出することができる。
【００１８】
次に図２を参照して操作部２００について説明する。モードクリアキー２０１は全てのモードを標準状態に戻すために用いられ、このキー２０１の操作によりリピート枚数は１枚に、濃度は自動濃度に、給紙は自動給紙選択に、変倍率は等倍に設定され、両面モード等のその他の機能は全て解除される。割り込みキー２０２はコピー動作中に他のコピーを行うために用いられ、プログラムキー２０３は使用者が頻繁に使用するモードを登録したり、これを呼び出すために用いられる。ガイダンスキー２０４は基本動作や機能を表示するために用いられ、スタートキー２０５はコピー動作を開始させるために用いられる。スタートキー２０５はまた、その入力可否を表示する機能を兼用し、このために一部を半透明に形成してキーの裏側にグリーンとレッドのＬＥＤを配置してコピー可の時にはグリーンのＬＥＤを、コピー不可の時にはレッドのＬＥＤを点灯させる。
【００１９】
クリア／ストップキー２０６は待機中に操作されれば設定コピー枚数をクリアするクリアキーとして動作し、コピー動作中に操作されればコピー動作を中断するストップキー２０６として動作する。テンキー２０７はコピー枚数やズーム倍率、綴じ代等の値を入力するために用いられる。
【００２０】
ＣＲＴ表示部２０８は設定状態や機能説明、操作説明を表示する。ＣＲＴ表示部２０８の表面にはタッチパネルが設けられ、表面を指先でタッチすることにより選択キーとしての機能も有する。図３はＣＲＴ表示部２０８の表示画面の一例を示している。メッセージエリア２４０にはこの装置に関する情報が表示され、例えば「コピーできます」、「コピー中です」等のメッセージが表示される。セット枚数表示エリア２４１にはテンキー２０７により設定されたコピー枚数が表示される。
【００２１】
そして、試しコピーキー２４２をタッチすることにより試しコピーが行われる。このキー２４２は試しコピー不可の時には表示されず、この領域をタッチしても無効となる。濃度調整キー２４３は所望の濃度位置をタッチすることによりコピー濃度を手動で調整することができる。自動濃度キー２４４は原稿の地肌濃度を検出してコピー濃度を自動的に調整する場合に選択される。表示エリア２４５には用紙サイズ、用紙残量、紙種が表示され、また、トレイ選択キーを兼ねている。
【００２２】
自動用紙選択キー２４６が選択された場合には自動的に原稿サイズが検出され、原稿サイズと設定倍率に基づいて算出された最適なサイズの用紙が収容された給紙トレイが選択される。用紙指定変倍キー２４７ａは指定用紙サイズに合うように原稿画像を自動的に拡大、縮小する場合に用いられ、等倍キー２４７ｂは等倍でコピーする場合に用いられる。エリア２４８には倍率が表示される。定型変倍キー２４９は定型サイズに拡大、縮小する場合に用いられ、ズームキー２５０、２５１は寸法変倍キー２５２で寸法変倍が選択されたとき、１％刻みで倍率を指定する場合に用いられる。指定された倍率は倍率表示エリア２４８に表示される。
【００２３】
片面・両面キー２５３は片面原稿を用紙の両面にコピーする場合に用いられ、両面・両面キー２５４は両面原稿を用紙の両面にコピーする場合に用いられる。両面・片面キー２５５は両面原稿を用紙の片面にコピーする場合に用いられる。表面綴じ代寸法表示エリア２５６には表面綴じ代キー２５７により指定された綴じ代寸法が表示され、裏面綴じ代寸法表示エリア２５８には裏面綴じ代キー２５９により指定された綴じ代寸法が表示される。
【００２４】
また、編集機能として外消去キー２６０、内消去キー２６１、センター消去キー２６２が設けられ、コピー原稿に書き込まれたマークを読み取って、それぞれ外消去、内消去、またはセンター消去を実行する。
【００２５】
表表紙キー２６３は原稿の１枚目を表紙専用紙にコピーする場合に用いられ、両表紙キー２６４は原稿の１枚目と最終ページを表紙専用紙にコピーする場合に用いられる。章区切りキー２６５は指定ページの原稿を合紙にコピーする場合に用いられ、ソート機能選択キー２６６とスタック機能選択キー２６７はそれぞれソータＣのソートモードとスタックモードを設定する場合に用いられる。
【００２６】
次に図４を参照して操作制御部について説明する。メイン制御部２８０はこの複写機全体の制御を行い、特に後述する試しコピー機能を制御する。操作制御部のＣＰＵ２８４はメイン制御部２８０との間で光トランシーバ２８３を介してシリアル通信でコマンドをやり取りし、メイン制御部２８０からのコマンドを受け取るとＣＲＴ表示部２０８上に表示する内容を決定し、ＣＧＲＯＭ２８５に予め記憶された多数のビットパターンを選択的に読み出すためのコードをＶＲＡＭ２８１に展開し、読み出したビットパターンをＣＲＴコントローラ２８２を介してＣＲＴ表示部２０８の画面に表示する。
【００２７】
ＶＲＡＭ２８１内のビットパターン展開エリアは幾つかに区切られており、現在表示されている画面とは別の画面のビットパターンを展開することができ、また、ＶＲＡＭ２８１のアドレスを変更することにより画面を一瞬に書き換えることができる。ＣＲＴコントローラ２８２はＣＰＵ２８４、ＣＧＲＯＭ２８５、タッチパネル２１０、ＬＥＤドライバ２８６により駆動されるキーボード２８７、アドレスデコーダ２８８、アドレスラッチ２８９等の間でアドレスやデータをやり取りする。ＣＰＵ２８４はアドレスラッチ２８９、ＲＯＭ２９０、不揮発性ＲＡＭ２９１、システムリセット部２９２を介してアドレスデコーダ２８８等の間でアドレスやデータをやり取りする。
【００２８】
つぎに、図５を参照して複写機本体Ａのメイン制御部２８０について説明すると、複写機本体Ａの制御はＣＰＵ（中央処理装置）１００１を中心として行われる。ＣＰＵ１００１の制御用のプログラムとデータは予めＲＯＭ（リードオンリメモリ）１００２に記憶され、ＲＡＭ（ランダムアクセスメモリ）１００３は中間結果等を記憶するために用いられる。
【００２９】
Ａ／Ｄコンバータ１００５はスキャナのランプ電圧１８２１や、トナー濃度制御用のＰセンサ１８２２の発光電圧および受光電圧や、感光ドラム１０７上の電位を検出する電位センサ３１１の出力や、自動濃度調整（ＡＤＳ）用のセンサ１８１６の出力や、ランプ光量センサ１８１７の出力や、感光ドラム１０７の電位センサ１８１８の出力や、定着器１１８のサーミスタ５０３による電圧等の各種センサ１００６の出力等をディジタル信号に変換する。なお、定着器１１８のサーミスタによる電圧により、定着温度が所定値以下の場合にはコピー動作が禁止される。
【００３０】
ＣＰＵ１００１はまた、ＩＮポート１００７を介してメモリクリア用のＤＩＰスイッチ（ＳＷ）１８２４や人体検知センサ１８２５等の各入力１００８を取り込み、また、ＯＵＴポート１００９を介して各種ソレノイド１８１５、各種ローラ駆動用クラッチ１８１９を制御する。ＣＰＵ１００１は更に、シリアル通信ユニット１８０７を介して図１に示すような操作部２００、自動原稿給紙装置Ｂ（（又はＲＤＨ１９０１）、ソータＣ（又はステープル装置１９０２）との間でシリアル通信を行う。
【００３１】
光学系制御ユニット１０１１はスキャナの露光ランプ１０２、スキャナ１８２６、レンズ光軸モータ１８２７、スラストモータ１８２８等を制御する。高圧電源ユニット１０１３は図１に示す電子写真プロセスに必要な帯電チャージャ３０２や、分離チャージャ３０５や、転写チャージャ３０４や、ＰＴＣ（転写前チャージャ）３１２や現像バイアス７１２等の負荷１０１４に電源を供給する。また、モータ制御ユニット１０１５はメインモータ１０１６の制御を行い、ヒータ制御ユニット１０１７は定着器１１８のヒータを制御する。センサ感度ユニット１０２１はランプ光量センサ１８１７や、ＡＤＳセンサ１８１６やＰセンサ３１５の各受光ゲインとＰセンサの発光電圧を制御するために用いられる。
【００３２】
次にコピー時の動作を説明する。ユーザが先ず操作部２００を介して倍率、濃度等の条件、コピー枚数を設定し、また、試しコピーキー２４２を押下することなくスタートキー２０５を押下すると設定枚数分のコピーを行う。また、このときソートキー２６６が押下されていれば転写紙をソータＣに排出して１セット原稿に対するセット部数分の転写紙を仕分ける。
【００３３】
これに対し、ユーザが複数枚のコピーを行う前にコピーの出来上がり具合を確認するために、操作部２００を介して倍率、濃度等の条件、コピー枚数を設定した後、試しコピーキー２４２を押下すると、自動原稿給紙装置Ｂからコンタクトガラス１０１上に１枚目の原稿を給紙すると共に、給紙トレイ１１２、１１３又は１１４から１枚の転写紙を給紙して設定条件に従って試しコピーを行う。また、このときソートキー２６６が押下されていれば転写紙をソータＣのプルーフトレイ３１１上に排出する。この場合、プルーフトレイ上には転写紙を上向きで排出することにより、ユーザにとって容易にコピーの出来上がり具合を確認することができる。
【００３４】
試しコピーが終了しても、コンタクトガラス１０１上の１枚目の原稿を排出しない。したがって、ユーザにとってコピーの出来上がり具合が不満であって、コピー条件が変更された後に試しコピーキー２４２が再度押下されると、新しい設定条件に従って試しコピーを行う。他方、ユーザにとってコピーの出来上がり具合が満足であってスタートキー２０５を押下すると設定枚数分のコピーを行う。
【００３５】
次に図６〜図８を参照して通常コピー時と試しコピー時の動作を説明する。先ず、オートソート移行可能を示すフラグ（fAutoSort）を初期化（リセット）する（ステップＳ０）。なお、このフラグ（fAutoSort）は、後述するステップＳ３に示すオートソートチェック処理においてセット又はリセットされる。
【００３６】
次いでスタートキー２０５が押下された否かを判断し（ステップＳ１）、スタートキー２０５が押下された場合には通常コピーの指示であるので、試しコピーキー２４２の表示を消し、また、スタートキー２０５の赤色ＬＥＤを点灯させてメッセージエリア２４０に「コピー中です」のメッセージを表示する。次いで自動原稿給紙装置Ｂに対してコピー対象の原稿の給紙指示を送り、これにより自動原稿給紙装置Ｂが指定原稿をコンタクトガラス１０１上に給紙する（ステップＳ２）。次いで図７に示すオートソートチェック処理（後述）を実行してソートモード切り替えの可否を決定する（ステップＳ３）。
【００３７】
ステップＳ３においてオートソートチェック処理を終了すると（排出先を決定すると）、フラグ（fAutoSort）を判定することによりオートソートチェック処理においてオートソートに移行可能であったか否かを判定する（ステップＳ４）。そしてフラグ（fAutoSort）がセットされている場合、すなわちオートソートに移行可能な場合には、このジョブの後処理モードをソートモードに切り替える（ステップＳ５）。
【００３８】
このとき、「移行不可」または「移行可能かが不明」（＝片面→両面モードの場合、１枚目の原稿給紙時にはソートモード移行可能かは不明であり、２枚目の原稿給紙時に３枚目の原稿の有無が確定する）の場合には、現在の後処理モードを維持する。ステップＳ５の処理に伴い、ソート選択キー２０６を選択可能とする。
【００３９】
このようにステップＳ５において後処理モードが確定すると、次いで指定原稿の読み取り及びコピー処理の実行と、コピー処理済み転写紙を指定された後処理モード（ソートモード、スタックモード、プルーフトレイ３１１に排出するＯＦＦモード）において指定排出先（ソータビン３１２、プルーフトレイ３１１、両面トレイ１２４）に排出する（ステップＳ６）。次いでステップＳ２〜Ｓ６の処理を指定部数終了まで繰り返し（ステップＳ７）、指定部数のコピーが終了するとステップＳ１に戻り、スタートキー２０５の緑色ＬＥＤを点灯させてメッセージエリア２４０に「コピーできます」のメッセージを表示する。
【００４０】
次に図７に示すオートソートチェック処理を説明する。ここで、オートソートとは、複数部のコピーの際に自動原稿給紙装置Ｂに積載されている原稿枚数、設定モードを判断して、１部当たりの排出転写紙の枚数が２枚以上の場合には、後処理装置を自動的にソートモードに切り換えてコピーを行うものである。先ず、ソートモード移行の条件である現在設定されている後処理モードのチェックと（ステップＳ１５）、置数が２以上か否かのチェック（ステップＳ１６）を行う。ステップＳ１５の条件を満たさない場合にはソートモード又はスタックソートで、また、ステップＳ１６の条件を満たさない場合にはＯＦＦモードでコピーを行う。
【００４１】
これに対し、ステップＳ１５、Ｓ１６の条件を満たす場合には続くステップＳ１７において最初の機外排出転写紙か否かを判断し、また、ステップＳ１８において次の原稿が有るか否かを判断することにより、現在コピー中の原稿の次の原稿が有るか否かをチェックする。これは、通常では、原稿が２枚以上あるか否かをチェックすればよいが、片面→両面モードの場合には原稿が３枚以上なければ１部当たりの排出転写紙が２枚以上にならないことに対応させるためである。
【００４２】
ステップＳ１７、Ｓ１８の条件を満たして１部当たりの排出転写紙が２枚以上になる場合には、現在設定されている後処理モード（ＯＦＦモードにおいてプルーフトレイ３１１に排出）をソートモードに切り替可能であることを検出してフラグ（fAutoSort）をセットし（ステップＳ１９）、この処理を終了する、それ以外の場合には、オートソートに「移行不可」または「移行可能かが不明」であるのでフラグ（fAutoSort）をリセットし（ステップＳ１９）、この処理を終了する、
図６に戻り、ステップＳ１においてスタートキー２０５が押下されていない場合には、試しコピーキー２４２を押下されたか否かを判断し（ステップＳ８）、押下されていない場合にはステップＳ１に戻る。他方、試しコピーキー２４２を押下されると、試しコピーキー２４２の表示を消してスタートキー２０５の赤色ＬＥＤを点灯させて、指定原稿を給紙し（ステップＳ９）、次いで図８に詳しく示す試しコピー処理を実行する（ステップＳ１０、Ｓ１１）。
【００４３】
この試しコピー処理では図８に示すように、指定された給紙段から転写紙を給紙し（ステップＳ２１）、次いで作像動作を実行し（ステップＳ２２）、次いでその転写紙を指定排紙トレイに排紙し（ステップＳ２３）、次いで原稿をコンタクトガラスから排出しないで保持し（ステップＳ２４）、この試しコピー処理を終了する。そして、試しコピーが終了すると図６に示すステップＳ１に戻り、スタートキー２０５の緑色ＬＥＤを点灯させ、メッセージエリア２４０に「コピーできます」を表示する。
【００４４】
したがって、試しコピーを実行した場合には、ステップＳ３におけるオートソートチェック処理を実行させない（禁止する）ので、ステップＳ６において片面→片面コピーで試しコピー実行後にステップＳ１に戻って置数が変更された場合や、片面→片面モードから片面→両面モードに切り替えられて通常コピーを行う場合などにおいて、誤ったオートソート動作することを防止することができる。
【００４５】
次に図９を参照して第２の実施形態の処理を説明する。この第２の実施形態では、試しコピー時にも試しコピー処理（ステップＳ４３）の前に仮のオートソートチェック処理（図７）を行うステップＳ４２が追加されている。そして正式なジョブスタート時には、作成するコピー部数を指定するための置数が変更された場合や、原稿に対して作成されるコピー転写紙の枚数が変化するような原稿面モード（片面、両面モード）やコピー面モード（片面、両面、集約、分割モード等）が選択された場合等のように、当該原稿から排出転写紙枚数が変化するようなモード変更が行われた場合（ステップＳ３１、Ｓ３４）のみ、再度オートソートの評価を行う（ステップＳ３５）。なお、ステップＳ３０、Ｓ３２、Ｓ３３は図６におけるＳ０、Ｓ１、Ｓ２に、Ｓ３５〜Ｓ３９はＳ３〜Ｓ７に、Ｓ４０、Ｓ４１はＳ８、Ｓ９に、また、Ｓ４３、Ｓ４４はＳ１０、Ｓ１１に、それぞれ対応している。
【００４７】
【発明の効果】
以上説明したように本発明によれば、試しコピーを開始するときには、オートソートモードの判定処理を実行しないようにするので、誤ったオートソート動作を防止することができる。
【００４８】
請求項２記載の発明によれば、オートソートモードの判定処理を禁止した後、通常コピーを行う場合には、オートソードモードの判定処理を実行させるので、誤ったオートソートモード動作を防止することができる。
【００４９】
請求項３記載の発明によれば、ソートモードが選択されていない状態で試しコピーを行う場合、オートソートモードの判定処理を実行させ、次いで通常コピーを行う場合、指定コピー部数が変更されたとき、または原稿に対する転写紙の部数が変化するモードが選択されたときには前記判定処理を再度実行させるので、無駄な制御動作を防止することができる。
【図面の簡単な説明】
【図１】本発明に係る画像形成装置の一実施形態を示す構成図である。
【図２】図１の操作部を詳しく示す構成図である。
【図３】図２のＣＲＴ画面を詳しく示す説明図である。
【図４】図１の画像形成装置の操作制御部の構成を示すブロック図である。
【図５】図１の画像形成装置の構成を示すブロック図である。
【図６】図１の画像形成装置の通常コピー時と試しコピー時の処理を説明するためのフローチャートである。
【図７】図６のオートソートチェック処理を詳しく説明するためのフローチャートである。
【図８】図６の試しコピー処理を詳しく説明するためのフローチャートである。
【図９】第２の実施形態の通常コピー時と試しコピー時の処理を説明するためのフローチャートである。
【符号の説明】
Ａ  複写機本体
Ｂ  自動原稿給紙装置
Ｃ  ソータ
１００１  ＣＰＵ
【図１】
0003658502.tif 000002
【図２】
0003658502.tif 000003
【図３】
0003658502.tif 000004
【図４】
0003658502.tif 000005
【図５】
0003658502.tif 000006
【図６】
0003658502.tif 000007
【図７】
0003658502.tif 000008
【図８】
0003658502.tif 000009
【図９】
0003658502.tif 000010